(57)【要約】      （修正有）【課題】車椅子に座接している被介護人がそのままの姿勢で洗面化粧が出来、被介護人を助援する介護人は被介護人の近くに立って必要な助援が円滑に行われ、また、被介護人や介護人の持物等を水のかからない場所に置く事が出来る洗面化粧台を提供する。【解決手段】洗面化粧台本体と、その両側に洗面化粧台本体の台板５よりも高い位置に形成される持物や携帯品を置くためのスタンド部１を有すると共に、スタンド部１の近傍に介護人が挿入して被介護人の助援をするための切り込み部２を有し、洗面化粧台本体の槽本体４の底面が車椅子を利用する被介護人の膝の当接しない高さ位置に形成される。【選択図】図１
0003217027.tif 000002
【実用新案登録請求の範囲】
【請求項１】
洗面化粧台本体とその両側に前記洗面化粧台本体の台板よりも高い位置に形成される持物や携帯品を置くためのスタンド部を有すると共に前記スタンド部の近傍に介護人が挿入して被介護人の助援をするための切り込み部を有し、前記洗面化粧台本体の槽本体の底面が車椅子を利用する被介護人の膝の当接しない高さ位置に形成される事を特徴とする洗面化粧台。
【請求項２】
前記洗面化粧台の全体が人工大理石から形成される事を特徴とする洗面化粧台。
【考案の詳細な説明】
【技術分野】
【０００１】  本考案は車椅子を利用する被介護人がそのまま洗面化粧が出来、かつ洗面化粧台本体の上面よりも高い位置にスタンド部が形成され被介護人を助援する介護人が挿入出来る切り込み部が前記スタンド部の近傍に形成され全体が人工大理石から形成される洗面化粧台に関する。
【背景技術】
【０００２】  車椅子を利用する被介護人がそのままで洗面化粧が出来る洗面化粧台については従来より各種のものがある。
その１つとして本考案の出願人が考案した洗面化粧台が「特許文献１」として開示される。
【先行技術文献】
【特許文献】
【０００３】
【特許文献１】第３０３６８０６号（図１）  この「特許文献１」の「第３０３６８０６号」の「洗面化粧台」は車椅子を利用する被介護人がそのままの姿勢で洗面化粧が出来るもので人工大理石から全体が形成され意匠美もあるものである。
しかしながらこのものは後に説明する本考案のようにスタンド部もなく介護人が被介護人を近くで助援するための切り込み部もなく全体構造としては大きく相異するものである。
【考案の概要】
【考案が解決しようとする課題】
【０００４】  車椅子を利用する被介護人は自分だけで洗面化粧が出来る場合も有るが介護人の助援を必要とする被介護人も存在する。また、介護人が居る方が都合のよい場合も多くあると思う。このような場合介護人が被介護人の側に居た方が便利な場合が多い。そのために介護人が助援し易いような形の洗面化粧台が望まれる。また、被介護人も介護人も色々な持物や携帯品を洗面化粧台の近くに置きたい場合が多く存在する。そのために洗面化粧台の側に持物等を置くスタンド部が有った方がよく、スタンド部も水のかからない状態に形成されることが望ましい。
本考案はこれ等の都合を考慮したものであり、介護人が被介護人を助援し易い位置に位置付けることが出来ると共に介護人や被介護人が洗面化粧の時に必要と思われる持物や携帯品が洗面化粧時に水のかからない場所に置く事が出来るスタンド部の如きものが有った方が便利である。
本考案はこれ等の事情に考慮して考案されたものであり、介護人が助援し易い位置に位置付けることが出来ると共に介護人が被介護人の持物や携帯品等が洗面化粧時に水のかからない場所に置く事が出来るスタンド部を設けた洗面化粧台を提案する事を目的とする。
【課題を解決するための手段】
【０００５】  本考案は、以上の目的を達成するために考案されたものであり、請求項１の考案は、洗面化粧台本体とその両側に前記洗面化粧台本体の台板よりも高い位置に形成される持物や携帯品を置くためのスタンド部を有すると共に前記スタンド部の近傍に介護人が挿入して被介護人の助援をするための切り込み部を有し、前記洗面化粧台本体の槽本体の底面が車椅子を利用する被介護人の膝の当らない高さ位置に形成されることを特徴とする。【０００６】  また、請求項２の考案は、前記洗面化粧台の全体が人工大理石から形成される事を特徴とする。
【考案の効果】
【０００７】  本考案の請求項１の洗面化粧台によれば、洗面化粧台本件は、車椅子を利用している被介護人がそのままの形で洗面化粧が出来ると共に介護人が助援し易い位置に常に位置付けることが出来介護人や被介護人の持物や携帯品が水のかからない場所に置く事が出来る効果を上げることが出来る。【０００８】  また、請求項２の洗面化粧台によれば、全体を人工大理石で形成する事が出来、美観の向上と生産性の向上を図ることが出来る。
【図面の簡単な説明】
【０００９】
【図１】  本考案の全体構造を示す平面図。
【図２】  図１のＰ矢視図。
【図３】  図１のＡ−Ａ線断面図。
【図４】  図１のＢ−Ｂ線断面図。
【図５】  図１のＣ−Ｃ線断面図。
【図６】  図１のＤ−Ｄ線断面図。
【図７】  車椅子の利用する被介護人の洗面化粧時の状態を示す一部断面図。
【考案を実施するための形態】
【００１０】  以下、本考案の洗面化粧台を図面に基づいて詳説する。
【実施例１】
【００１１】  まず、図１乃至図７により本考案の洗面化粧台１００の実施の形態を詳説する。まず、直角に上方に曲がった取付部１２から洗面化粧台本体の台板５が水平に形成され引き続き凹状の槽本体４が形成される。槽本体４の底面６は図７に示すように被介護人９の手前から取付部１２の側に向かって下り傾斜して形成される。なお、底面６は車椅子１０に座接している被介護人９の膝１１の当らない高さに形成されている。また、台板５が被介護人９側に向かって水平に形成されこの台板５の端部は直角に下方に向かって曲がっている補強部７が形成されている。また、槽本体４の底面６には水流し部８が形成されている。【００１２】  槽本体４の台板５の左右には台板５よりも高い位置にスタンド部１が形成されている。このスタンド部１は被介護人９や介護人が洗面化粧に必要な持物や携帯品等を置く場所であり、洗面化粧時に水のかからない高さに形成され平板状のものからなる。【００１３】  一方、図１に示すようにスタンド部１の図の下方側には凹みが形成され、この凹みが切り込み部２に相当するものであり、この位置に介護人は立って被介護人９の助援をする。この切り込み部２によって介護人の助援が円滑に、かつ確実に行われる。
以上の各部材は人工大理石により成形されて形成される。これにより美観の向上を図ることが出来る。【００１４】  図７は車椅子１０に座接している被介護人９の洗面化粧の状態を示すものである。被介護人９はそのままの姿勢で洗面化粧台１００の近傍まで入り込んで洗面化粧をすることが出来る。図７はスタンド部１に持物や携帯品３等が置かれている状態を示している。なお、介護人の切り込み部２への位置付けについては図７に明示されていないがこの位置に介護人が立った事によって洗面化粧している被介護人９への助援が円滑に、かつ確実に行われる。【００１５】  本考案は以上の説明の内容からなるが、その内容は以上のものに限定するものではなく、同一技術的範疇のものが適用されることは勿論である。なお、スタンド部については一般成型で行う場合と、別物を接着等の接合体によって接合して形成する場合であり、これ等は同一技術的範疇に入るものと思料する。
【産業上の利用可能性】
【００１６】  本考案は前記のスタンド部１や切り込み部２がメーンの内容のものであるが槽本体の形状については図示のものに限定するものではなく、各種の形態のものに適用され美観もありその利用範囲は極めて広い。
【符号の説明】
【００１７】  １      スタンド部
２      切り込み部
３      持物や携帯品
４      槽本体
５      台板
６      底面
７      補強部
８      水流し部
９      被介護人
１０    車椅子
１１    膝
１２    取付部
１００  洗面化粧台
【図１】
0003217027.tif 000003
【図２】
0003217027.tif 000004
【図３】
0003217027.tif 000005
【図４】
0003217027.tif 000006
【図５】
0003217027.tif 000007
【図６】
0003217027.tif 000008
【図７】
0003217027.tif 000009
【手続補正書】
【提出日】平成30年4月23日(2018.4.23)
【手続補正１】
【補正対象書類名】実用新案登録請求の範囲
【補正対象項目名】請求項２
【補正方法】変更
【補正の内容】
【請求項２】
前記洗面化粧台の全体が人工大理石から形成される事を特徴とする請求項１に記載の洗面化粧台。